(57)【要約】【課題】パワーコンディショナおよびリモートコントローラの使い勝手を向上する。【解決手段】パワーコンディショナ１は、操作を行う本体操作・表示部１５とリモートコントローラ２に通信する本体通信インターフェース部１６を備え、リモートコントローラ２は、パワーコンディショナ１に通信する第二通信インターフェース部２１と、操作を行う第二操作・表示部２２を備え、本体操作・表示部１５で操作されてパワーコンディショナ１が運転動作している間には、本体通信インターフェース部１６から第二通信インターフェース部２１へ操作受付中信号を送信し、第二通信インターフェース部２１で前記操作受付中信号を受信している間は、リモートコントローラ２は、第二操作・表示部２２による操作を無効化し、第二操作・表示部２２に第二操作・表示部２２による操作を無効化したことを示すコードＴを表示する【選択図】図１
2016154398.tif 000002
【特許請求の範囲】
【請求項１】
太陽電池パネルと、
該太陽電池パネルが出力する直流電力を交流電力に変換して商用系統に出力するパワーコンディショナと、
該パワーコンディショナを遠隔操作するためのリモートコントローラと、
を備える太陽光発電システムにおいて、
前記パワーコンディショナは、前記パワーコンディショナの操作を行う本体操作・表示部と前記リモートコントローラに通信する本体通信インターフェース部を備え、
前記リモートコントローラは、前記パワーコンディショナに通信する第二通信インターフェース部と、前記リモートコントローラの操作を行う第二操作・表示部を備え、
前記本体操作・表示部で操作されて前記パワーコンディショナが運転動作している間には、前記本体通信インターフェース部から前記第二通信インターフェース部へ操作受付中信号を送信し、
前記第二通信インターフェース部で前記操作受付中信号を受信している間は、前記リモートコントローラは、前記第二操作・表示部による操作を無効化し、前記第二操作・表示部に前記第二操作・表示部による操作を無効化したことを示すコードを表示することを特徴とする太陽光発電システム用パワーコンディショナおよびリモートコントローラ。
【発明の詳細な説明】
【技術分野】
【０００１】
本発明は、太陽光発電等の発電システムで用いられるパワーコンディショナ、および、それに付随するリモートコントローラに関するものである。
【背景技術】
【０００２】
特許文献１の段落０００８には、太陽電池の出力を交流電力に変換し系統電力線に連系出力するインバータ装置本体と該インバータ装置本体を遠隔より操作するとともにインバータ装置本体の情報を表示する遠隔操作部とを有する系統連系インバータ装置の遠隔操作・情報表示方法において、前記インバータ装置本体と前記遠隔操作部の間で、遠隔操作あるいは情報表示するためのデジタル信号である通信データを、誤り検出および訂正のための冗長ビットを付加して符号化し、高周波信号に変調し、系統電力線に重畳して送信し、変調された前記通信データを前記系統電力線から受信して元の周波数に復調し誤りを検出・訂正して復号化することを特徴とする系統連系インバータの遠隔操作・情報表示方法が開示されており、この構成により、太陽光発電システムにおいて、太陽電池が出力する直流電力を交流電力に変換して商用系統に出力するパワーコンディショナ（インバータ装置本体）にリモートコントローラ（遠隔操作部）を接続し、リモートコントローラの操作部を操作することでパワーコンディショナを遠隔操作することが出来る。
【先行技術文献】
【特許文献】
【０００３】
【特許文献１】特開平１０−１５０７７８号公報
【発明の概要】
【発明が解決しようとする課題】
【０００４】
特許文献１の構成では、一般使用者（ユーザ）が、リビングなどの居住空間からリモートコントローラの操作部を操作することでパワーコンディショナを運転操作することができる。またパワーコンディショナを屋外に設置し、屋外において点検作業時に点検する操作者がパワーコンディショナの本体の操作部を操作して運転操作することがある。このパワーコンディショナの本体の操作部を操作して実行する運転動作中に、リモートコントローラの操作部によって操作すると、パワーコンディショナは、点検する操作者が意図した動作を実行しなくなるので使い勝手が悪いという課題があった。
【０００５】
この発明は上述した事情に鑑みてなされたものであり、使い勝手を向上したパワーコンディショナおよびリモートコントローラを提供することを目的とする。
【課題を解決するための手段】
【０００６】
上記課題を解決するため本発明にあっては、太陽電池パネルと、該太陽電池パネルが出力する直流電力を交流電力に変換して商用系統に出力するパワーコンディショナと、該パワーコンディショナを遠隔操作するためのリモートコントローラと、を備える太陽光発電システムにおいて、前記パワーコンディショナは、前記パワーコンディショナの操作を行う本体操作・表示部と前記リモートコントローラに通信する本体通信インターフェース部を備え、前記リモートコントローラは、前記パワーコンディショナに通信する第二通信インターフェース部と、前記リモートコントローラの操作を行う第二操作・表示部を備え、前記本体操作・表示部で操作されて前記パワーコンディショナが運転動作している間には、前記本体通信インターフェース部から前記第二通信インターフェース部へ操作受付中信号を送信し、前記第二通信インターフェース部で前記操作受付中信号を受信している間は、前記リモートコントローラは、前記第二操作・表示部による操作を無効化し、前記第二操作・表示部に前記第二操作・表示部による操作を無効化したことを示すコードを表示するものである。
【発明の効果】
【０００７】
使い勝手を向上したパワーコンディショナおよびリモートコントローラを提供できる。
【図面の簡単な説明】
【０００８】
【図１】本発明の一実施例の太陽光発電システムのパワーコンディショナとリモートコントローラの回路構成を示すブロック図である。
【図２】本発明の一実施例のパワーコンディショナの本体操作・表示部の操作受付判定の処理内容を示すＰＡＤ図である。
【図３】本発明の一実施例のリモートコントローラの操作無効を示すコードを表示する状態のリモートコントローラの概略図。
【図４】本発明の一実施例の太陽光発電システムの説明図である。
【発明を実施するための形態】
【０００９】
本発明の実施例を図１〜図４を用いて説明する。図１は本発明の一実施例の太陽光発電システムのパワーコンディショナとリモートコントローラの回路構成を示すブロック図である。図４は本発明の一実施例の太陽光発電システムの説明図である。
【００１０】
３０は、太陽電池パネル１１と、太陽電池パネル１１が出力する直流電力を交流電力に変換して商用系統に出力するパワーコンディショナ１と、パワーコンディショナ１に有線または無線で接続されたリモートコントローラ２とを備える太陽光発電システムである。
【００１１】
パワーコンディショナ１は筺体である本体ケース１０ａと本体ケース１０ａの一部を開口する蓋体１０ｂに収納されて、屋外に設置する。
【００１２】
パワーコンディショナ１は、ＤＣ−ＤＣコンバータ１２、インバータ１３、本体操作・表示部１５、本体通信インターフェース部１６を備える。
【００１３】
ＤＣ−ＤＣコンバータ１２とインバータ１３により太陽電池パネル１１が出力する直流電力を交流電力に変換して商用系統１４に出力する。
【００１４】
また、１５は、点検作業等でパワーコンディショナ１を運転操作するための操作キーを備えた本体操作・表示部である。本体操作・表示部１５は蓋体１０ｂを開けて直接操作する位置に設け点検作業等が行い易いようにしている。
【００１５】
１６は、リモートコントローラ２に接続する本体通信インターフェース部である通信インターフェース部である。
【００１６】
図３は、本発明の一実施例のリモートコントローラの操作無効を示すコードを表示する状態のリモートコントローラの概略図である。
【００１７】
リモートコントローラ２は、ケース２０に収納されて屋内に設置される。ケース２０内部にパワーコンディショナ１の通信インターフェース部１６に通信する第二通信インターフェース部２１を備える。ケース２０表面にリモートコントローラ２の操作を行う第二操作・表示部２２を備える。パワーコンディショナ１とリモートコントローラ２は有線により通信を行ってもよいし、無線により通信を行ってもよい。
【００１８】
図２は本発明の一実施例のパワーコンディショナの本体操作・表示部の操作受付判定の処理内容を示すＰＡＤ図である。
【００１９】
パワーコンディショナ１の本体操作・表示部１５で操作されたかを判定する操作受付判定Ａが開始される。本体操作・表示部１５に備えた操作キーの状態を判定し、前記操作キーが押下Ｂされていれば、パワーコンディショナ１は本体操作受付処理Ｃを実行する。前記操作キーが押下Ｂされていなければ、パワーコンディショナ１は操作受付判定Ａを継続する。
【００２０】
本体操作・表示部１５に備えた操作キーの状態を判定し、前記操作キーが押下Ｂされていれば、パワーコンディショナ１は運転動作を実行する。
【００２１】
そして、本体操作・表示部１５が操作されて運転動作を実行している間に、本体通信インターフェース部１６から第二通信インターフェース部２１へ操作受付中信号を送信する。
【００２２】
リモートコントローラ２は、第二通信インターフェース部２１で操作受付中信号を受信している間は、本体操作受付処理中Ｄを行う。
【００２３】
第二通信インターフェース部２１で操作受付中信号を受信している間は、操作受付信号１設定Ｅとする。
【００２４】
第二通信インターフェース部２１で操作受付中信号を受信していなければ本体操作受付処理中で操作受付信号０設定Ｆとする。
【００２５】
リモートコントローラ２は本体操作受付処理中Ｄで操作受付信号１設定Ｅとしている場合は、第二操作・表示部２２による操作を無効化して受け付けない。
【００２６】
また、第二操作・表示部２２に第二操作・表示部２２による操作を無効化にして受け付けないことを示すコードＴを表示する。
【００２７】
パワーコンディショナ１の本体操作・表示部１５で運転操作した運転動作を終了すると、本体通信インターフェース部１６から第二通信インターフェース部２１に操作受付中信号の送信が終了する。そのため、第二通信インターフェース部２１で操作受付中信号を受信しないので、本体操作受付処理中Ｄで操作受付信号０設定Ｆとする。その結果リモートコントローラ２は第二操作・表示部２２での操作を受け付ける。
【００２８】
図３には、リモートコントローラ２の第二操作・表示部２２による操作を無効化したことを示すコードＴの例として「ＰＣ５」を示し、数字、英文字、また数字、英文字、の組み合わせで表示するものである。
【符号の説明】
【００２９】
１：パワーコンディショナ
２：リモートコントローラ
１１：太陽電池パネル
１２：ＤＣ−ＤＣコンバータ
１３：インバータ
１４：商用系統
１５：本体操作・表示部  
１６：本体通信インターフェース部  
２１：第二通信インターフェース部  
２２：第二操作・表示部  
３０：太陽光発電システム
Ｔ  ：コード
【図１】
2016154398.tif 000003
【図２】
2016154398.tif 000004
【図３】
2016154398.tif 000005
【図４】
2016154398.tif 000006